(57)【要約】【課題】製造するナノファイバの種類を容易に変更することのできるナノファイバ製造装置の提供。【解決手段】原料液３００を空間中で電気的に延伸させて、ナノファイバ３０１を製造するナノファイバ製造装置１００であって、原料液３００を圧送して供給する供給装置１０７と、供給装置１０７から圧送される原料液３００を案内する案内管１１４と、案内管１１４から供給される原料液３００を、圧力と回転とによって空間中に流出させる中空の流出体１１５と、流出体１１５と回転可能かつ液密状態で接続されると共に、内部に案内管１１４が挿入され、案内管１１４と液密状態で接続される軸体１１６と、流出体１１５を回転させる駆動装置１１７と、流出体１１５を介して原料液３００に電荷を付与して帯電させる帯電装置１１１とを備える。【選択図】図２
2010203013.tif 000002
【特許請求の範囲】
【請求項１】
原料液を空間中で電気的に延伸させて、ナノファイバを製造するナノファイバ製造装置であって、
原料液を圧送して供給する供給装置と、
前記供給装置から圧送される原料液を案内する案内管と、
前記案内管から供給される原料液を、原料液の圧力と自身の回転とによって空間中に流出させる中空の流出体と、
前記流出体と回転可能かつ液密状態で接続されると共に、内部に前記案内管が挿入され、前記案内管と液密状態で接続される軸体と、
前記流出体を回転させる駆動装置と、
前記流出体を介して原料液に電荷を付与して帯電させる帯電装置と
を備えるナノファイバ製造装置。
【請求項２】
前記案内管は、前記軸体に対し脱着可能である請求項１に記載のナノファイバ製造装置。
【請求項３】
前記案内管と前記軸体とは、前記案内管の外周を囲むように配置される封止部材を介して液密状態に接続される
請求項１に記載のナノファイバ製造装置。
【請求項４】
前記案内管は、軸体内に配置され、原料液の圧力により拡径する拡径部を有し、
前記案内管と前記軸体とは、前記拡径部が拡径することで液密状態に接続される
請求項１に記載のナノファイバ製造装置。
【請求項５】
前記流出体は、
軸方向の前記軸体との相対的な移動は規制され、かつ、前記軸体に対し回転可能に接続される筒状の回転基体と、
前記回転基体に対し着脱自在に取り付けられ、前記案内管と接続され原料液を貯留する貯留室を開閉可能に閉塞する蓋体と
を備える請求項１に記載のナノファイバ製造装置。
【請求項６】
前記供給装置は、
原料液を貯留し気密性を有する容器と、
前記容器にガスを導入し容器内の圧力を上昇させる昇圧装置と、
一方の開口端が原料液に浸漬状態で配置され、他方の開口端が前記容器の外に配置され、前記容器に気密状態で取り付けられる管状の導出管とを備える
請求項１に記載のナノファイバ製造装置。
【請求項７】
前記供給装置はさらに、
前記容器よりも大容量の第二容器と、
前記第二容器から前記容器に原料液を移送する移送装置とを備える
請求項６に記載のナノファイバ製造装置。
【請求項８】
さらに、
空間中で製造されるナノファイバを収集する収集装置と、
前記収集装置にナノファイバを誘引する誘引装置と
を備える請求項１に記載のナノファイバ製造装置。
【請求項９】
原料液を圧送して供給する供給装置と、前記供給装置から圧送される原料液を案内する案内管と、前記案内管から供給される原料液を、原料液の圧力と自身の回転とによって空間中に流出させる中空の流出体と、前記流出体と回転可能かつ液密状態で接続されると共に、内部に前記案内管が挿入され、前記案内管と液密状態で接続される軸体と、前記流出体を回転させる駆動装置と、前記流出体を介して原料液に電荷を付与して帯電させる帯電装置とを備え、原料液を空間中で電気的に延伸させて、ナノファイバを製造するナノファイバ製造装置において、ナノファイバを構成する樹脂の種類を変更する樹脂変更方法であって、
前記軸体から前記案内管を抜脱し、
他の供給装置と接続される他の案内管を前記軸体に挿入し、
前記他の供給装置と他の案内管で原料液を供給する
樹脂変更方法。
【発明の詳細な説明】
【技術分野】
【０００１】
本願発明は、ナノファイバの製造装置、樹脂変更方法に関し、特に、製造するナノファイバの樹脂の変更を容易とし、メンテナンス性を向上させることができるナノファイバ製造装置、樹脂変更方法に関する。
【背景技術】
【０００２】
樹脂などから成り、サブミクロンスケールの直径を有する糸状（繊維状）物質（ナノファイバ）を製造する方法として、エレクトロスピニング（電荷誘導紡糸）法が知られている。
【０００３】
このエレクトロスピニング法とは、溶媒中に樹脂などの溶質を分散または溶解させた原料液を空間中にノズルなどにより流出（吐出）させるとともに、原料液に電荷を付与して帯電させ、空間を飛行中の原料液を電気的に延伸させることにより、ナノファイバを得る方法である。
【０００４】
より具体的にエレクトロスピニング法を説明すると次のようになる。すなわち、帯電され空間中に流出された原料液は、空間を飛行中に徐々に溶媒が蒸発していく。これにより、飛行中の原料液の体積は、徐々に減少していくが、原料液に付与された電荷は、原料液に留まる。この結果として、空間を飛行中の原料液は、電荷密度が徐々に上昇することとなる。そして、溶媒は、継続して蒸発し続けるため、原料液の電荷密度がさらに高まり、原料液の中に発生する反発方向のクーロン力が原料液の表面張力より勝った時点で原料液が爆発的に線状に延伸される現象（以下、「静電延伸現象」と述べる）が生じる。この静電延伸現象が、空間において次々と幾何級数的に発生することで、直径がサブミクロンオーダーの樹脂から成るナノファイバが製造される。
【０００５】
以上のような静電延伸現象を用いてナノファイバを製造する装置として、本願発明者らは、遠心力を用いて原料液を放射状に流出させることにより、ナノファイバを大量に、かつ、安定した品質で製造することのできる製造装置を先に提案している（特許文献１参照）。
【特許文献１】特開２００８−２８５７９２号公報
【発明の開示】
【発明が解決しようとする課題】
【０００６】
ところが、従前の装置において製造されるナノファイバの種類を変更する場合、遠心力により原料液を流出させるための部材から、残存する原料液やこびりついた樹脂などを除去する必要があるが、当該作業に多大の労力が必要となる。これは、遠心力を発生させるために構造が複雑になるからである。さらに、前記部材に原料液を供給する供給路に関しては、残存する原料液を完全に除去することは困難であるため、交換する必要がある。しかし、回転する部材に原料液を供給する供給路は、振動に抗するためなど強固に取り付けられており、交換作業も容易ではない。
【０００７】
本願発明は、上記操業上の困難性に鑑みなされたものであり、原料液を供給するための供給路の交換作業が容易となるナノファイバ製造装置、及び、樹脂変更方法の提供を目的としている。さらに、原料液を流出させる部材の清掃作業が容易となるナノファイバ製造装置の提供を第二の目的としている。
【課題を解決するための手段】
【０００８】
上記目的を達成するために、本願発明にかかるナノファイバ製造装置は、原料液を空間中で電気的に延伸させて、ナノファイバを製造するナノファイバ製造装置であって、原料液を圧送して供給する供給装置と、前記供給装置から圧送される原料液を案内する案内管と、前記案内管から供給される原料液を、原料液の圧力と自身の回転とによって空間中に流出させる中空の流出体と、前記流出体と回転可能かつ液密状態で接続されると共に、内部に前記案内管が挿入され、前記案内管と液密状態で接続される軸体と、前記流出体を回転させる駆動装置と、前記流出体を介して原料液に電荷を付与して帯電させる帯電装置と
を備えることを特徴としている。
【０００９】
これによれば、案内管を軸体から抜き取るだけで案内管と流出体とを分離することができ、製造されるナノファイバの種類を変更する際など、容易、かつ、短時間で案内管の交換作業を進めることが可能となる。
【００１０】
また、前記案内管と前記軸体とは、前記案内管の外周を囲むように配置される封止部材を介して液密状態に接続されることが好ましい。
【００１１】
これにより、液漏の可能性など接続部分における信頼性を向上させることが可能となる。
【００１２】
また、前記案内管は、軸体内に配置され、原料液の圧力により拡径する拡径部を有し、前記案内管と前記軸体とは、前記拡径部が拡径することで液密状態に接続されるものとしてもよい。
【００１３】
これにより、ナノファイバ製造装置が操業中、すなわち、原料液が供給されている間は、原料液の圧力により案内管の拡径部と軸体とが液密状態でしっかりと接続される。一方、案内管の交換作業が必要な場合は、原料液は供給されず、拡径部が拡径していないため、軸体から案内管を容易に抜き出すことが可能となる。従って、交換作業をスムーズに進めることが可能となる。
【００１４】
また、前記流出体は、軸方向の前記軸体との相対的な移動は規制され、かつ、前記軸体に対し回転可能に接続される筒状の回転基体と、前記回転基体に対し着脱自在に取り付けられ、前記案内管と接続され原料液を貯留する貯留室を開閉可能に閉塞する蓋体とを備えることが好ましい。
【００１５】
これによれば、流出体に備えられる貯留室を開放することができるため、ナノファイバの種類を変更する際などの流出体の清掃作業を容易、かつ、迅速に行うことが可能となる。
【００１６】
前記供給装置は、原料液を貯留し気密性を有する容器と、前記容器にガスを導入し容器内の圧力を上昇させる昇圧装置と、一方の開口端が原料液に浸漬状態で配置され、他方の開口端が前記容器の外に配置され、前記容器に気密状態で取り付けられる管状の導出管とを備えることが好ましい。
【００１７】
これによれば、一定の圧力で原料液を供給し続けることが可能となるため、供給される原料液の脈動によるナノファイバの品質の変化を回避することが可能となる。また、原料液が気密状態で貯留されるため、貯留される原料液から溶媒が蒸発することを可及的に回避することが可能となる。
【００１８】
特に、案内管が拡径部を備えている場合、拡径部と軸体との接続状態が安定するため好ましい。
【００１９】
前記供給装置はさらに、前記容器よりも大容量の第二容器と、前記第二容器から前記容器に原料液を移送する移送装置とを備えることが好ましい。
【００２０】
これによれば、原料液を長期間にわたり安定して供給することができ、安定した状態でナノファイバを製造し続けることが可能となる。
【００２１】
上記目的を達成するために、本願発明にかかる樹脂変更方法は、原料液を圧送して供給する供給装置と、前記供給装置から圧送される原料液を案内する案内管と、前記案内管から供給される原料液を、原料液の圧力と自身の回転とによって空間中に流出させる中空の流出体と、前記流出体と回転可能かつ液密状態で接続されると共に、内部に前記案内管が挿入され、前記案内管と液密状態で接続される軸体と、前記流出体を回転させる駆動装置と、前記流出体を介して原料液に電荷を付与して帯電させる帯電装置とを備え、原料液を空間中で電気的に延伸させて、ナノファイバを製造するナノファイバ製造装置において、ナノファイバを構成する樹脂の種類を変更する樹脂変更方法であって、前記軸体から前記案内管を抜脱し、他の供給装置と接続される他の案内管を前記軸体に挿入し、前記他の供給装置と他の案内管で原料液を供給することを特徴とする。
【００２２】
これによれば、案内管を軸体から抜き取るだけで案内管と流出体とを分離することができ、製造されるナノファイバの種類を変更する際など、容易、かつ、短時間で案内管の交換作業を進めることが可能となる。
【発明の効果】
【００２３】
本願発明によれば、原料液を供給するための供給路の交換作業が容易となり、また、原料液を流出させる部材の清掃作業が容易となる。
【発明を実施するための最良の形態】
【００２４】
次に、本願発明に係るナノファイバ製造装置、樹脂変更方法を、図面を参照しつつ説明する。
【００２５】
図１は、ナノファイバ製造装置を一部切り欠いて示す平面図である。
【００２６】
同図に示すように、ナノファイバ製造装置１００は、放出装置１０１と、案内体１０２と、収集装置１０３と、誘引装置１０４とを備えている。
【００２７】
ここで、ナノファイバを製造するための原料液については、原料液３００と記し、製造されたナノファイバについてはナノファイバ３０１と記すが、製造に際しては原料液３００が電気的に延伸しながらナノファイバ３０１に変化していくため、原料液３００とナノファイバ３０１との境界は曖昧であり、明確に区別できるものではない。
【００２８】
放出装置１０１は、帯電した原料液３００や製造されるナノファイバ３０１を気体流に乗せて放出することができるユニットである。
【００２９】
図２は、放出装置の一部を切り欠いて示す平面図である。
【００３０】
図３は、放出装置の外観を示す斜視図である。
【００３１】
これら図に示すように放出装置１０１は、流出装置１１０と、帯電装置１１１と、風洞体１１２と、送風装置１１３と、供給装置１０７とを備えている。
【００３２】
流出装置１１０は、供給された原料液３００を空気に接触させることなく遠心力により空間中に流出させるための装置であり、また、原料液３００に電荷を付与し帯電させるための装置である。本実施の形態において流出装置１１０は、流出体１１５と、軸体１１６と、駆動装置１１７とを備えている。
【００３３】
流出体１１５は、原料液３００の圧力と遠心力とにより原料液３００を空間中に流出させるための部材であり、軸体１１６と液密状態、かつ、軸体１１６に対し回転可能に接続される中空の部材である。また、流出体１１５の周壁には流出孔１１８が設けられている。ナノファイバ３０１を製造する際、流出体１１５は、内方が原料液３００で満たされており、原料液３００の圧力と自身の回転による遠心力とにより空間中に原料液３００を流出させることのできる部材となっている。本実施の形態の場合、流出体１１５は、一端が閉塞された円筒形状となされ、周壁には流出体１１５内方から外方に向けて原料液３００を流出させるための流出孔１１８を多数備えている。また、流出体１１５は、貯留する原料液３００に電荷を付与するため、導電体で形成されている。
【００３４】
本実施の形態の場合、流出体１１５は、回転基体１１９と蓋体１２０とに分離可能となっている。これは、回転基体１１９から蓋体１２０を分離することで、流出体１１５の内方を清掃するなどのメンテナンスを容易にするためである。
【００３５】
回転基体１１９は、軸方向の軸体１１６との相対的な移動は規制され、かつ、軸体１１６に対し回転可能に接続される筒状の部材である。本実施の形態の場合、回転基体１１９は、軸体１１６とベアリング１０９を介して接続され、軸体１１６に対し回転可能に取り付けられている。また、回転基体１１９は、回転摺動可能かつ摺動部分を液密に維持することのできるパッキン１０６を介し軸体１１６の外周壁と接続されている。これにより、流出体１１５は、軸体１１６と液密状態、かつ、軸体１１６に対し回転可能に接続されることが可能となっている。
【００３６】
蓋体１２０は、回転基体１１９に対し着脱自在に取り付けられ、原料液３００を貯留する貯留室１０８を開閉可能に閉塞する部材である。本実施の形態の場合、蓋体１２０は、一端が閉塞された円筒体であり、蓋体１２０の周壁に流出孔１１８が設けられている。このように、原料液３００を貯留する流出体１１５の貯留室１０８を、蓋体１２０の着脱で開放可能にすることで、貯留室１０８を容易に清掃可能となる。また、蓋体１２０に流出孔１１８を設けることで、流出体１１５から取り外した蓋体１２０を溶剤に浸漬し、超音波を当てるなどの清掃方法を容易に選択することができ、流出孔１１８の内壁も容易に清掃することが可能となる。
【００３７】
具体的には、流出体１１５の直径は、１０ｍｍ以上、３００ｍｍ以下の範囲から採用されることが好適である。あまり大きすぎると後述の気体流により原料液３００やナノファイバ３０１を集中させることが困難になるからであり、また、流出体１１５の回転軸が偏心するなど、重量バランスが少しでも偏ると大きな振動が発生してしまい、当該振動を抑制するために流出体１１５を強固に支持する構造が必要となるからである。一方、小さすぎると遠心力により原料液３００を流出させるための回転を高めなければならず、駆動源の負荷や振動など問題が発生するためである。さらに流出体１１５の直径は、２０ｍｍ以上、１５０ｍｍ以下の範囲から採用することが好ましい。
【００３８】
また、流出孔１１８の形状は円形が好ましく、その直径は、流出体１１５の肉厚にもよるが、おおよそ０．０１ｍｍ以上、３ｍｍ以下の範囲から採用することが好適である。これは、流出孔１１８があまりに小さすぎると原料液３００を流出体１１５の外方に流出させることが困難となるからであり、あまりに大きすぎると一つの流出孔１１８から流出する原料液３００の単位時間当たりの量が多くなりすぎ（つまり、流出する原料液３００が形成する線の太さが太くなりすぎ）て所望の径のナノファイバ３０１を製造することが困難となるからである。また、流出孔１１８の孔長は、短い方が好ましい。メンテナンスの際に流出孔１１８を塞ぐ樹脂を除去し易いからである。
【００３９】
なお、流出体１１５の形状は、円筒形状に限定するものではなく、断面が多角形状の多角筒形状のようなものや円錐形状のようなものでもよい。流出孔１１８が回転することにより、流出孔１１８から原料液３００が遠心力で流出可能な形状であればよい。また、流出孔１１８の形状は、円形に限定することなく、多角形状や星形形状などであってもよい。
【００４０】
軸体１１６は、流出体１１５と回転可能かつ液密状態で接続されると共に、内部に後述する案内管１１４が挿入され、案内管１１４と液密状態で接続される部材である。本実施の形態の場合、軸体１１６は、流出体１１５の回転軸体として機能する円筒状の部材であり、流出体１１５は、軸体１１６の周囲を回転するものとなっている。また、軸体１１６の一端開口は流出体１１５の貯留室１０８に臨み、他端は、基台に固定されている。
【００４１】
駆動装置１１７は、遠心力により原料液３００を流出孔１１８から流出させるために、流出体１１５に回転駆動力を付与する装置である。本実施の形態の場合、駆動装置１１７は、ベルトドライブ機構とモータとを備えており、流出体１１５の回転基体１１９に取り付けられるプーリーをベルトで回転させることにより流出体１１５に回転力を付与している。このように、ベルトドライブ機構を介して駆動力を伝達することで、モータと流出体１１５とを絶縁状態とすることが可能となる。
【００４２】
なお、駆動装置１１７は、中空軸モータを備え、中空軸の内方に軸体１１６を挿通し、前記中空軸で流出体１１５を直接回転させるものでも良い。
【００４３】
流出体１１５の回転数は、流出孔１１８の口径や使用する原料液３００の粘度や原料液内の高分子物質の種類などとの関係により、数ｒｐｍ以上、１００００ｒｐｍ以下の範囲から採用することが好ましい。
【００４４】
図４は、供給装置の一部を切り欠いて模式的に示す図である。
【００４５】
同図に示すように、供給装置１０７は、容器１５１と、昇圧装置１５３と、導出管１５６とを備え、また、第二容器１５２と、移送装置１５５と、開閉弁１５９と、案内管１１４とを備えている。
【００４６】
また、供給装置１０７は、重量測定装置１４１と、制御装置１４２とを備えている。
【００４７】
容器１５１は、原料液３００を貯留することができ、昇圧装置１５３から供給されるガスの圧力に抗し気密性を維持することのできる容器である。なお、容器１５１には、導出管１５６と、導入管１５７と、ガス導入管１５８とが挿通されており、これらによって容器１５１の気密性が破られているとも考えられるが、容器１５１から原料液３００を導入し、また、導出するための導出管１５６、導入管１５７、ガス導入管１５８やその他の部分に関しては、容器１５１の気密性の概念には含めないものとする。
【００４８】
容器１５１が気密状態であるため、導出管１５６から原料液３００をガス圧により圧送することが可能である。また、容器１５１が気密状態であるため原料液３００から溶媒が蒸発することを抑制することが可能であり、容器１５１内方の圧力が高められるため、さらに溶媒の蒸発を抑制できる。従って、原料液３００の品質を低下させることなく安定して流出体１１５に圧送することが可能となる。
【００４９】
昇圧装置１５３は、容器１５１にガスを導入し容器１５１内の圧力を上昇させる装置である。本実施の形態の場合、昇圧装置１５３は、圧力源１６１と調整弁１６２とを備えている。圧力源１６１は、例えば高い圧力のガスが封入されるボンベやアキュムレータのような装置である。調整弁１６２は、圧力源１６１の圧力を所定の圧力にまで降圧することのできるいわゆるレギュレータである。
【００５０】
本実施の形態の場合、昇圧装置１５３は、圧力源１６１から供給される高圧力のガスを調整弁１６２で所定の圧力になるまで降圧し、所定の圧力のガスをガス導入管１５８を介して容器１５１の内方に導入することで、容器１５１内方の圧力を所定の圧力に維持することができるものとなっている。
【００５１】
昇圧装置１５３に用いられるガスは特に限定されるものではない。例えば、空気等であってもかまわない。なお、原料液３００の種類とガスの種類とによっては、酸素と反応して劣化するなど原料液３００の品質に影響を及ぼす場合があるため、原料液３００の種類に応じガス種を限定してもかまわない。例えば、ガスとして窒素ガスや二酸化炭素ガスなどの不活性なガスを用いてもかまわない。
【００５２】
導出管１５６は、一方の開口端が容器１５１に貯留される原料液３００に浸漬状態で配置可能であり、他方の開口端が容器１５１の外方に配置される管状の部材である。導出管１５６は、案内管１１４と軸体１１６とを介し流出体１１５に接続されており、導出管１５６の内方は流出孔１１８を経て開放状態となっている。ただし、前述したように、導出管１５６に関しては、容器１５１の気密性の定義には含まれないものであり、また、導出管１５６の外周面と容器１５１とは気密状態で接続されている点、及び、導出管１５６の一方の開口端が原料液３００により封止さる点の２点をもって容器１５１の気密性を維持していると考えてもよい。
【００５３】
第二容器１５２は、容器１５１よりも大容量の容器であって、大量の原料液３００を貯留することのできるものである。第二容器１５２もある程度の気密性を備え、貯留する原料液３００と第二容器１５２の外方の雰囲気とを遮断できるものが好ましい。
【００５４】
移送装置１５５は、第二容器１５２から容器１５１に原料液３００を移送するための装置である。移送装置１５５としては、例えば、ポンプなどを例示することができる。また、第二容器１５２は、容器１５１と同じような構造が採用され、ガス圧によって原料液３００を移送するものでもかまわない。
【００５５】
開閉弁１５９は、移送装置１５５から供給される原料液３００を通過させるか否かを選択することのできる電磁弁である。
【００５６】
案内管１１４は、供給装置１０７から圧送される原料液３００を流出体１１５まで案内する管体である。本実施の形態の場合、案内管１１４の先端部は、軸体１１６内に配置され、原料液の圧力により拡径する拡径部１２６となっている。また、案内管１１４の全体も拡径部１２６と同じ可撓性を有する素材で構成されている。案内管１１４の外径は、軸体１１６の内径とほぼ一致しており、案内管１１４の内部に圧力の高い原料液３００が挿通されている場合は、拡径部１２６が拡径して軸体１１６の内壁に密着し、案内管１１４と軸体１１６とを液密状態で接続するものとなっている。また、案内管１１４の内部に原料液３００が挿通されていない場合は、案内管１１４は、軸体１１６に対し容易に挿入し、また、抜き出すことができるものとなっている。
【００５７】
なお、案内管１１４は、上記実施の形態に限定されるものではない。例えば図６に示すように、案内管１１４は、案内管１１４の外周を囲むように配置される封止部材１３６を介してと軸体１１６と液密状態に接続されるものとしてもよい。この場合、案内管１１４の先端部は剛体で構成される。
【００５８】
重量測定装置１４１は、載置される容器１５１や収容される原料液３００等の重量を測定するための装置であり、測定結果を情報として送信できるものとなっている。
【００５９】
制御装置１４２は、重量測定装置１４１から受信した情報を解析し、重量測定装置１４１から得られた情報が所定の重量以下の情報を含んでいる場合、開閉弁１５９を制御して原料液３００を容器１５１内方に供給させることができる装置である。
【００６０】
図５は、第二容器からの原料液供給タイミングを示す他図である。
【００６１】
同図に示すように、重量測定装置１４１は、重量が所定の値以下になるとＧＬ信号を送信し、重量が所定の値以上になるとＧＨ信号を発信する。ＧＬ信号を受信した開閉弁１５９は開状態となり、また、ＧＬ信号を受信した移送装置１５５は、第二容器１５２に貯留されている原料液３００をＰ１の圧力で吸上げて圧送する。当該圧送はＧＨ信号を受信するまで継続され、原料液３００が容器１５１に供給される。この場合において、昇圧装置１５３は、容器１５１内の圧力が一定になるように導入するガスの圧力が調整される。一方、第二容器１５２から原料液３００が供給されない状態では、開閉弁１５９が閉ざされるため、容器１５１の内方は昇圧装置１５３により所定の圧力が維持される。従って、原料液３００は、常に一定の圧力で容器１５１から供給され続ける。
【００６２】
以上のような構成にすることで、容器１５１が収容する原料液３００の量を所定範囲に収めることができ、流出体１１５に供給される原料液３００の状態を一定に保つことが可能となる。さらに、重量に関する情報に基づき当該制御を行うことで、原料液３００の種類にかかわりなく容器１５１内方の原料液３００の量を所定範囲に維持することができる。例えば、原料液３００の粘性が高く、フロートによる原料液３００の液面の高さが測定できない場合であっても制御することが可能となる。
【００６３】
帯電装置１１１は、原料液３００に電荷を付与して帯電させる装置である。本実施の形態の場合、図１〜図３に示すように、帯電装置１１１は、帯電電極１２１と、帯電電源１２２と、接地装置１２３とを備えている。
【００６４】
帯電電極１２１は、自身が流出体１１５に対し高い電圧もしくは低い電圧となることで、流出体１１５の蓋体１２０に電荷を誘導するための部材である。本実施の形態の場合、帯電電極１２１は、流出体１１５の周囲を取り囲むように配置される円環状の部材となっている。帯電電極１２１に正の電圧が印加されると流出体１１５には、負の電荷が誘導され、帯電電極１２１に負の電圧が印加されると流出体１１５には、正の電荷が誘導される。
【００６５】
帯電電極１２１の大きさは、流出体１１５の直径よりも大きい必要があるが、その直径は、５０ｍｍ以上、１５００ｍｍ以下の範囲から採用されることが好適である。なお、帯電電極１２１の形状は、円環状に限ったものではなく、流出体１１５の形状との関係によって、多角形の環状や平板状などであってもよい。また、帯電電極１２１の断面形状も矩形ばかりでなく丸形でもかまわない。
【００６６】
接地装置１２３は、流出体１１５と電気的に接続され、流出体１１５を接地電位に維持することができる部材である。接地装置１２３の一端は、流出体１１５が回転状態であっても電気的な接続状態を維持することができるようにブラシとして機能するものであり、他端は大地と接続されている。なお、接地装置１２３は、流出体１１５と電気的に接続されれば良く、流出体１１５と接地装置１２３とが僅かに離れていても良い。
【００６７】
帯電電源１２２は、帯電電極１２１に高電圧を印加することのできる電源である。帯電電源１２２は、一般には、直流電源が好ましい。特に、発生させるナノファイバ３０１の帯電極性に影響を受けないような場合、生成したナノファイバ３０１の帯電を利用して、逆極性の電位を印加した電極でナノファイバ３０１を誘引するような場合には、直流電源を採用することが好ましい。また、帯電電源１２２が直流電源である場合、帯電電源１２２が帯電電極１２１に印加する電圧は、１０ＫＶ以上、２００ＫＶ以下の範囲の値から設定されるのが好適である。帯電電源１２２に負の電圧が印加される場合には、前記の印加する電圧の極性は、負になる。特に、流出体１１５と帯電電極との間の電界強度が重要であり、帯電電極１２１と流出体１１５との距離が最も近い空間において１ＫＶ／ｃｍ以上の電界強度になるように印加電圧を調整するのが好ましい。
【００６８】
本実施の形態のように帯電装置１１１に一方の電極を接地電位とする誘導方式を採用すれば、流出体１１５を接地電位に維持したまま原料液３００に電荷を付与することができる。流出体１１５が接地電位の状態であれば、流出体１１５に接続される軸体１１６や駆動装置１１７などの部材を流出体１１５から電気的に絶縁する必要が無くなり、流出装置１１０として簡単な構造を採用しうることになり好ましい。
【００６９】
なお、帯電装置１１１として、流出体１１５に電源を接続し、流出体１１５を高電圧に維持し、帯電電極１２１を接地することで原料液３００に電荷を付与してもよい。
【００７０】
送風装置１１３は、流出体１１５から流出される原料液３００の飛行方向を変更し、ナノファイバ３０１を搬送して案内体１０２の内方を通過させるための気体流を発生させる装置である。本実施の形態の場合、送風装置１１３は、基台１５４側から流出体１１５の先端に向かう気体流を発生させる。送風装置１１３は、流出体１１５から径方向に流出される原料液３００を軸方向に変更することができる風力を発生させることができるものとなっている。図２において、気体流は矢印で示している。本実施の形態の場合、送風装置１１３は、軸流ファンで構成されている。
【００７１】
なお、送風装置１１３は、シロッコファンなど他の送風機により構成してもかまわない。また、後述する吸引装置１３２により風洞体１１２の内方に気体流を発生させるものでもかまわない。この場合、ナノファイバ製造装置１００は、積極的に気体流を発生させる送風装置１１３を有しないこととなるが、何らかの装置により、風洞体１１２などの内方に気体流が発生していることをもってナノファイバ製造装置１００が送風装置１１３を備えているものとする。
【００７２】
さらにまた、放出装置１０１は、風洞体１１２と、風制御体１２４と、加熱装置１２５とを備えている。
【００７３】
風洞体１１２は、送風装置１１３で発生した気体流を帯電電極１２１と流出体１１５との間に案内する導管である。本実施の形態の場合、風洞体１１２により案内された気体流は、帯電電極１２１の内側を通過しつつ、流出体１１５の流出孔１１８から流出された原料液３００と交差し、原料液３００の飛行方向を変更する。
【００７４】
風制御体１２４は、送風装置１１３により発生する気体流が流出孔１１８の開口端に当たらないよう気体流を制御する機能を有するものである。本実施の形態の場合、風制御体１２４として、気体流を所定の領域に流れるように案内する風路体が採用されている。風制御体１２４により、気体流が直接流出孔１１８に当たらないため、流出孔１１８から流出される原料液３００が早期に蒸発して流出孔１１８を塞ぐことを可及的に防止し、原料液３００を安定させて流出させ続けることが可能となる。なお、風制御体１２４は、流出孔１１８の風上に配置され気体流が流出孔１１８近傍に到達するのを防止する壁状の防風壁でもかまわない。
【００７５】
加熱装置１２５は、送風装置１１３が発生させる気体流を構成する気体を加熱する加熱源である。本実施の形態の場合、加熱装置１２５は、案内体１０２の内方に配置される円環状のヒータであり、加熱装置１２５を通過する気体を加熱することができるものとなっている。加熱装置１２５により気体流を加熱することにより、空間中に流出される原料液３００は、蒸発が促進され効率よくナノファイバ３０１を製造することが可能となる。
【００７６】
図７は、案内体近傍を示す斜視図である。
【００７７】
同図に示すように、案内体１０２は、放出装置１０１から放出され、気体流によって搬送されるナノファイバ３０１を所定の場所に案内する風洞である。
【００７８】
拡散体１２７は、案内体１０２と接続され、空間中において高密度状態で搬送されるナノファイバ３０１を広く均等に拡散させ低密度状態とする導管であり、ナノファイバ３０１が案内される空間を滑らか、かつ、連続的に拡大することで、ナノファイバ３０１を搬送する気体流の速度とナノファイバ３０１の速度とを徐々に減速させるフード状の部材である。本実施の形態の場合、拡散体１２７は、案内体１０２の高さをそのまま維持し、幅のみ徐々に広がるフード形状となっている。
【００７９】
収集装置１０３は、案内体１０２から放出されるナノファイバ３０１を収集するための装置である。本実施の形態の場合、収集装置１０３は、被堆積部材１２８と、巻回装置１２９と、部材供給装置１３０とを備えている。
【００８０】
被堆積部材１２８は、静電延伸現象により製造され気体流により搬送されるナノファイバ３０１と気体流とを分離し、ナノファイバ３０１のみが堆積する部材である。本実施の形態の場合、被堆積部材１２８は、堆積したナノファイバ３０１と容易に分離可能な材質で構成された薄く柔軟性のある長尺のシート状の部材であり、気体流を容易に透過でき、ナノファイバ３０１を捕集しうる網状の部材である。具体的に被堆積部材１２８としては、アラミド繊維からなる長尺の布を例示することができる。さらに、被堆積部材１２８の表面にテフロン（登録商標）コートを行うと、堆積したナノファイバ３０１を被堆積部材１２８から剥ぎ取る際の剥離性が向上するため好ましい。また、被堆積部材１２８は、ロール状に巻き付けられた状態で部材供給装置１３０から供給されるものとなっている。
【００８１】
巻回装置１２９は、被堆積部材１２８を移送することができる装置である。本実施の形態の場合、長尺の被堆積部材１２８を巻き取りながら部材供給装置１３０から引き出し、堆積するナノファイバ３０１と共に被堆積部材１２８を搬送するものとなっている。巻回装置１２９は、不織布状に堆積しているナノファイバ３０１を被堆積部材１２８とともに巻き取ることができるものとなっている。
【００８２】
誘引装置１０４は、図１に示すように、ナノファイバ３０１を被堆積部材１２８に誘引するための装置である。本実施の形態の場合、誘引装置１０４は、異なる誘引方式を同時、または、選択的に実施できるように、気体誘引装置１４３と、電界誘引装置１３３とを備えている。
【００８３】
気体誘引装置１４３は、気体流を吸引することによりナノファイバ３０１を被堆積部材１２８に誘引する装置であり、被堆積部材１２８の後方に配置されている。本実施の形態の場合、気体誘引装置１４３は吸引装置１３２と集中体１３１とを備えている。
【００８４】
集中体１３１は、拡散体１２７で広がった気体流を受け取り、吸引装置１３２に至るまでの間に気体流を集中させる部材であり、拡散体１２７とは逆向きの漏斗形状となっている。
【００８５】
吸引装置１３２は、被堆積部材１２８を通過する気体流を強制的に吸引する送風機である。吸引装置１３２は、シロッコファンや軸流ファンなどの送風機であって、被堆積部材１２８を通過して速度が落ちた気体流を高い速度に加速することのできる装置である。吸引装置１３２により気体流を吸引することで、ナノファイバ３０１を製造する際に蒸発する溶媒も同時に吸引される。そのようにすることで、引火性の高い溶媒を使用する場合においても、案内体１０２の内部が爆発濃度まで達することはなく、安心して装置の使用ができるようになる。
【００８６】
電界誘引装置１３３は、帯電しているナノファイバ３０１を電界により被堆積部材１２８に誘引する装置であり、誘引電極１３４と、誘引電源１３５とを備えている。
【００８７】
誘引電極１３４は、帯電したナノファイバ３０１を誘引するための電界を発生させるための電極である。本実施の形態の場合、誘引電極１３４には気体流を通過させることのできる金属製の網が採用されている。誘引電極１３４は、拡散体１２７の開口部全体に広がって設けられている。
【００８８】
誘引電源１３５は、誘引電極１３４を所定の電圧及び極性に維持することができる直流電源である。本実施の形態の場合、誘引電源１３５は、０Ｖ（接地状態）から２００ＫＶ以下の範囲で自由に電圧と極性を変更することができる直流電源である。
【００８９】
なお、誘引電極１３４は、実施の形態において金属製の網が採用されているが、それに限定されるものではない。例えば、被堆積部材１２８の幅程度の長さを備え所定の幅を有する棒状体でもよい。また、棒状の誘引電極１３４を複数本並べてもかまわない。
【００９０】
なお、帯電電源１２２が交流電源の場合は、誘引電源１３５を交流電源としても良い。
【００９１】
回収装置１０５は、原料液３００から蒸発した溶剤を気体流から分離して回収することのできる装置である。回収装置１０５に関しては、原料液３００に用いられる溶剤の種類によって異なるが、例えば、気体を低温にして溶剤を結露させて回収する装置や、活性炭やゼオライトを用いて溶剤のみを吸着させる装置、液体などに溶剤を溶け込ませる装置やこれらを組み合わせた装置を例示できる。
【００９２】
ここで、ナノファイバ３０１を構成する樹脂としては、ポリプロピレン、ポリエチレン、ポリスチレン、ポリエチレンオキサイド、ポリエチレンテレフタレート、ポリブチレンテレフタレート、ポリエチレンナフタレート、ポリ−ｍ−フェニレンテレフタレート、ポリ−ｐ−フェニレンイソフタレート、ポリフッ化ビニリデン、ポリフッ化ビニリデン−ヘキサフルオロプロピレン共重合体、ポリ塩化ビニル、ポリ塩化ビニリデン−アクリレート共重合体、ポリアクリロニトリル、ポリアクリロニトリル−メタクリレート共重合体、ポリカーボネート、ポリアリレート、ポリエステルカーボネート、ポリアミド、アラミド、ポリイミド、ポリカプロラクトン、ポリ乳酸、ポリグリコール酸、コラーゲン、ポリヒドロキシ酪酸、ポリ酢酸ビニル、ポリペプチド等およびこれらの共重合体等の高分子物質を例示できる。また、上記より選ばれる一種でもよく、また、複数種類が混在してもかまわない。なお、上記は例示であり、本願発明は上記樹脂に限定されるものではない。
【００９３】
原料液３００に使用される溶媒としては、揮発性のある有機溶剤などを例示することができる。具体的に例示すると、メタノール、エタノール、１−プロパノール、２−プロパノール、ヘキサフルオロイソプロパノール、テトラエチレングリコール、トリエチレングリコール、ジベンジルアルコール、１，３−ジオキソラン、１，４−ジオキサン、メチルエチルケトン、メチルイソブチルケトン、メチル−ｎ−ヘキシルケトン、メチル−ｎ−プロピルケトン、ジイソプロピルケトン、ジイソブチルケトン、アセトン、ヘキサフルオロアセトン、フェノール、ギ酸、ギ酸メチル、ギ酸エチル、ギ酸プロピル、安息香酸メチル、安息香酸エチル、安息香酸プロピル、酢酸メチル、酢酸エチル、酢酸プロピル、フタル酸ジメチル、フタル酸ジエチル、フタル酸ジプロピル、塩化メチル、塩化エチル、塩化メチレン、クロロホルム、ｏ−クロロトルエン、ｐ−クロロトルエン、クロロホルム、四塩化炭素、１，１−ジクロロエタン、１，２−ジクロロエタン、トリクロロエタン、ジクロロプロパン、ジブロモエタン、ジブロモプロパン、臭化メチル、臭化エチル、臭化プロピル、酢酸、ベンゼン、トルエン、ヘキサン、シクロヘキサン、シクロヘキサノン、シクロペンタン、ｏ−キシレン、ｐ−キシレン、ｍ−キシレン、アセトニトリル、テトラヒドロフラン、Ｎ，Ｎ−ジメチルホルムアミド、Ｎ，Ｎ−ジメチルアセトアミド、ジメチルスルホオキシド、ピリジン、水等を挙示することができる。また、上記より選ばれる一種でもよく、また、複数種類が混在してもかまわない。なお、上記は例示であり、本願発明に用いられる原料液３００は上記溶媒を採用することに限定されるものではない。
【００９４】
さらに、原料液３００に骨材や可塑剤などの添加剤を添加してもよい。当該添加剤としては、酸化物、炭化物、窒化物、ホウ化物、珪化物、弗化物、硫化物等を挙げることができるが、耐熱性、加工性などの観点から酸化物を用いることが好ましい。当該酸化物としては、Ａｌ2Ｏ3、ＳｉＯ2、ＴｉＯ2、Ｌｉ2Ｏ、Ｎａ2Ｏ、ＭｇＯ、ＣａＯ、ＳｒＯ、ＢａＯ、Ｂ2Ｏ3、Ｐ2Ｏ5、ＳｎＯ2、ＺｒＯ2、Ｋ2Ｏ、Ｃｓ2Ｏ、ＺｎＯ、Ｓｂ2Ｏ3、Ａｓ2Ｏ3、ＣｅＯ2、Ｖ2Ｏ5、Ｃｒ2Ｏ3、ＭｎＯ、Ｆｅ2Ｏ3、ＣｏＯ、ＮｉＯ、Ｙ2Ｏ3、Ｌｕ2Ｏ3、Ｙｂ2Ｏ3、ＨｆＯ2、Ｎｂ2Ｏ5等を例示することができる。また、上記より選ばれる一種でもよく、また、複数種類が混在してもかまわない。なお、上記は例示であり、本願発明の原料液３００に添加される物質は、上記添加剤に限定されるものではない。
【００９５】
原料液３００における溶媒と樹脂との混合比率は、溶媒の種類と樹脂の種類とにより異なるが、溶媒量は、約６０重量％から９８重量％の間が望ましい。
【００９６】
本実施の形態のように、原料液３００や製造されるナノファイバ３０１を気体流により搬送し、また、当該気体流を吸引装置１３２で吸引する場合、溶媒蒸気が滞留することなく流れるため、溶媒を５０重量％以上含んだ原料液３００であっても十分に蒸発し、静電延伸現象を発生させることが可能となる。従って、溶質である樹脂の濃度が薄い状態からナノファイバ３０１を製造することができるため、より細いナノファイバ３０１をも製造することも可能となる。また、原料液３００の調整可能範囲が広がるため、製造されるナノファイバ３０１の性能の範囲も広くすることが可能となる。
【００９７】
次に、上記構成のナノファイバ製造装置１００を用いたナノファイバ３０１の製造方法を説明する。
【００９８】
まず、送風装置１１３、及び、吸引装置１３２を稼働させ、風洞体１１２や、案内体１０２、拡散体１２７、集中体１３１の内方に放出装置１０１から収集装置１０３に向かう気体流を発生させる（気体流発生工程）。以上の状態で、案内体１０２内の風量が毎分３０立米となるようナノファイバ製造装置１００を調整した。
【００９９】
次に、容器１５１に昇圧装置１５３から所定の圧力のガスを導入する。本実施の形態の場合、容器１５１の重量を監視し、第二容器１５２から適宜原料液３００を容器１５１に供給することにより、容器１５１内には一定量の原料液３００が常に貯留されている。また、昇圧装置１５３から導入されるガスは、空気を用いた。これにより、容器１５１内方の圧力が高まり、導出管１５６から原料液３００が常に一定の圧力で導出される。
【０１００】
容器１５１から導出された原料液３００は、案内管１１４を通過して流出体１１５の貯留室１０８まで圧送される。ここで、導出管１５６と案内管１１４と流出体１１５とは、一連に接続されており、原料液３００は、空気に触れること無く流出体１１５の貯留室１０８に供給される。
【０１０１】
なお、容器１５１の容量が十分にある場合、開閉弁１５９を閉状態にしたままで、操業してもかまわない。所定の圧力で液面を押す場合に、密閉状態を維持できるからである。
【０１０２】
流出体１１５に供給された原料液３００は貯留室１０８を満たし、流出孔１１８から空間中に流出する（供給工程）。以上により、原料液３００は、供給装置１０７から空気に触れることなく流出孔１１８まで到達する
本実施の形態に採用される溶質としての樹脂は、ポリウレタンを選定した。また、原料液３００を構成する溶媒は、Ｎ，Ｎ−ジメチルアセトアミドを選定した。原料液３００における溶質と溶媒との混合比率は、ポリウレタンを２５重量％、Ｎ，Ｎ−ジメチルアセトアミドを７５重量％とした。
【０１０３】
次に、帯電電源１２２により帯電電極１２１を正または負の高電圧とする。帯電電極１２１の近傍に配置される流出体１１５の流出孔１１８に電荷が集中し、当該電荷が流出体１１５の流出孔１１８を通過して空間中に流出する原料液３００に転移し、原料液３００が帯電する（帯電工程）。
【０１０４】
前記帯電工程と同時期に駆動装置１１７により流出体１１５を回転させ、流出体１１５の周壁に設けられる流出孔１１８から原料液３００を所定の圧力と遠心力とで空間中に流出させる（回転工程、流出工程）。
【０１０５】
具体的には、外径がΦ６０ｍｍの流出体１１５を用いた。流出体１１５は、周方向等間隔に７２個の流出孔１１８が設けられている。流出孔１１８の直径は、０．２ｍｍであり、形状は円形であった。一方、帯電電極１２１は内径Φ６００ｍｍのものを用い、帯電電源１２２により帯電電極１２１を接地電位に対して負の６０ＫＶとした。これにより、流出体１１５には正の電荷が誘導され、正に帯電した原料液３００が流出することとなる。
【０１０６】
流出孔１１８から流出された原料液３００は、初めて気体流（空気）と接触し、気体流により搬送され（搬送工程）、気体流に乗り案内体１０２に案内される。
【０１０７】
ここで、原料液３００の帯電状態と帯電電極１２１とは逆極性であるため、クーロン力により引きつけられて帯電電極１２１の方向に向いて飛行しようとするが、帯電電極１２１に向かうほとんどの原料液３００が気体流により方向が変えられ、案内体１０２に向かって飛行することとなる。
【０１０８】
原料液３００は、静電延伸現象によりナノファイバ３０１を製造しつつ（ナノファイバ製造工程）放出装置１０１から放出される。ここで、原料液３００は、強い帯電状態（高い電荷密度）で流出しているため、静電延伸が容易に発生し、流出した原料液３００のほとんどがナノファイバ３０１に変化していく。また、原料液３００は、強い帯電状態（高い電荷密度）で流出しているため、静電延伸が何次にもわたって発生し、線径の細いナノファイバ３０１が大量に製造される。
【０１０９】
また、前記気体流は、加熱装置１２５により加熱されており、原料液３００の飛行を案内しつつ、原料液３００に熱を与えて溶剤の蒸発を促進し静電延伸を促進している。
【０１１０】
以上のようにして放出装置１０１から放出されるナノファイバ３０１は、案内体１０２に導入される。そして、ナノファイバ３０１は、案内体１０２の内方を気体流に搬送されながら収集装置１０３に向かって案内される（案内工程）。
【０１１１】
拡散体１２７にまで搬送されたナノファイバ３０１は、ここで急速に速度が低下すると共に、均一な分散状態となる（拡散工程）。
【０１１２】
この状態において、被堆積部材１２８の背方に配置される吸引装置１３２は、蒸発した溶媒と共に気体流を吸引し、ナノファイバ３０１を被堆積部材１２８上に誘引する（誘引工程）。また、電圧が印加された誘引電極１３４により電界が発生し、当該電界によってもナノファイバ３０１が誘引される（誘引工程）。
【０１１３】
以上により、被堆積部材１２８により気体流から分けられてナノファイバ３０１が収集される（収集工程）。被堆積部材１２８は、巻回装置１２９によりゆっくり移送されているため、ナノファイバ３０１も移送方向に延びた長尺の帯状部材として回収される。
【０１１４】
被堆積部材１２８を通過した気体流は、吸引装置１３２により加速され、回収装置１０５に到達する。回収装置１０５では、気体流から溶媒を分離回収する（回収工程）。
【０１１５】
以上のような構成のナノファイバ製造装置１００を用い、以上のナノファイバ製造方法を実施することによって、流出孔１１８から流出するまで原料液３００を空気に触れさせることなく供給することができるため、安定した品質の原料液３００を空間中に流出し続けることができ、品質の高いナノファイバ３０１を安定した状態で長期間製造し続けることができる。また、流出孔１１８において原料液３００中の樹脂が固化するのを防止することができ、流出孔１１８の目詰まりを除去するメンテナンス作業の回数を減少させることが可能となる。
【０１１６】
また、遠心力と共に原料液３００の圧力により流出孔１１８から原料液３００が流出するため、各流出孔１１８から均等に原料液３００が流出し、製造されるナノファイバ３０１の品質を安定させることが可能となる。
【０１１７】
次に、上記構成のナノファイバ製造装置１００において、原料液３００を異なる種類に交換し、ナノファイバ３０１を構成する樹脂の種類を変更する樹脂変更方法を説明する。
【０１１８】
まず、ナノファイバ製造装置１００の操業を停止する（停止工程）。次に、流出体１１５の回転基体１１９から蓋体１２０を取り外し、貯留室１０８に残存する圧力を開放する（圧力開放工程）。以上により、案内管１１４の拡径部１２６が縮径し、軸体１１６と案内管１１４との接続状態が緩くなる。
【０１１９】
次に、軸体１１６から案内管１１４を抜脱する（抜脱工程）。これにより、軸体１１６と案内管１１４との接続状態が解除される。
【０１２０】
次に、流出体１１５の貯留室１０８を清掃する。貯留室１０８は、蓋体１２０がはずされたことで開放状態となっているため、容易に清掃することができる。また、蓋体１２０はナノファイバ製造装置１００から分離されているため、蓋体１２０は、溶剤に浸漬した状態で洗浄する（清掃工程）。
【０１２１】
次に、他の種類の原料液３００を供給する供給装置１０７を準備し、この供給装置１０７と接続される他の案内管１１４を軸体１１６に挿入する（挿入工程）。案内管１１４の先端部分が流出体１１５の貯留室１０８に突出する状態まで案内管１１４を挿入する。案内管１１４の挿入状態は、取り外した蓋体１２０側から確認することができる。
【０１２２】
次に、蓋体１２０を回転基体１１９に取り付ける（取り付け工程）。以上により操業準備が整ったことになる。
【０１２３】
次に、他の供給装置１０７と他の案内管１１４とを用いて所望の原料液３００を流出体１１５に供給する（供給工程）。
【０１２４】
以上のナノファイバ製造装置１００を用いると、原料液３００の圧力と流出体１１５が回転することによって発生する遠心力により原料液３００を流出させることができる。従って、原料液３００の圧力を比較的低い状態に抑えることができる。これにより、案内管１１４と軸体１１６との接続部分であって液密状態を担保している部分（拡径部１２６等）や、軸体１１６と流出体１１５との接続部分であって液密状態を担保している部分（パッキン１０６等）の耐圧性能を低く抑えることができる。従って、案内管１１４と軸体１１６とを強固に接続する必要が無く、案内管１１４と軸体１１６との接続部分や、軸体１１６と流出体１１５との接続部分の構造を簡略化することが可能となる。
【０１２５】
また、案内管１１４自体の耐圧性能も低く抑えることができるため、可撓性のある樹脂製のチューブを案内管１１４として採用することも可能である。従って、案内管１１４を使い捨てにしても、ナノファイバ３０１の製造コストに余り影響することがない。
【０１２６】
さらに、流出体１１５に蓋体１２０を備えることで、流出体１１５内方にある貯留室１０８の清掃も容易になる。また、軸体１１６の内壁は、案内管１１４が密着しているため原料液３００が付着することもない。
【０１２７】
本実施の形態において、昇圧装置１５３は、大気圧よりも少し高め（大気圧の１．０１倍以上、３倍以下の圧力範囲から選択される圧力）の圧力の空気を供給している。
【０１２８】
以上から、ナノファイバ３０１を構成する樹脂の変更作業や、ナノファイバ製造装置１００のメンテナンスを容易、かつ、短時間で行うことが可能となり、ナノファイバ３０１の生産効率を向上させることが可能となる。
【産業上の利用可能性】
【０１２９】
本願発明は、ナノファイバの製造やナノファイバを用いた紡糸、不織布の製造に利用可能である。
【図面の簡単な説明】
【０１３０】
【図１】ナノファイバ製造装置を一部切り欠いて示す平面図である。
【図２】放出装置の一部を切り欠いて示す平面図である。
【図３】放出装置の外観を示す斜視図である。
【図４】供給装置の一部を切り欠いて模式的に示す図である。
【図５】第二容器からの原料液供給タイミングを示す他図である。
【図６】案内管と軸体との他の接続状態を示す斜視図である。
【図７】案内体近傍を示す斜視図である。
【符号の説明】
【０１３１】
１００  ナノファイバ製造装置
１０１  放出装置
１０２  案内体
１０３  収集装置
１０４  誘引装置
１０５  回収装置
１０６  パッキン
１０７  供給装置
１０８  貯留室
１０９  ベアリング
１１０  流出装置
１１１  帯電装置
１１２  風洞体
１１３  送風装置
１１４  案内管
１１５  流出体
１１６  軸体
１１７  駆動装置
１１８  流出孔
１１９  回転基体
１２０  蓋体
１２１  帯電電極
１２２  帯電電源
１２３  接地装置
１２４  風制御体
１２５  加熱装置
１２６  拡径部
１２７  拡散体
１２８  被堆積部材
１２９  巻回装置
１３０  部材供給装置
１３１  集中体
１３２  吸引装置
１３３  電界誘引装置
１３４  誘引電極
１３５  誘引電源
１３６  封止部材
１４１  重量測定装置
１４２  制御装置
１４３  気体誘引装置
１５１  容器
１５２  第二容器
１５３  昇圧装置
１５４  基台
１５５  移送装置
１５６  導出管
１５７  導入管
１５８  ガス導入管
１５９  開閉弁
１６１  圧力源
１６２  調整弁
３００  原料液
３０１  ナノファイバ
【図１】
2010203013.tif 000003
【図２】
2010203013.tif 000004
【図３】
2010203013.tif 000005
【図４】
2010203013.tif 000006
【図５】
2010203013.tif 000007
【図６】
2010203013.tif 000008
【図７】
2010203013.tif 000009